(57)【要約】【課題】異なった支軸で両側板に保持され、先端部中央に補巻ガイドシーブが、後端部の一方の側に主巻ガイドシーブが、一部重なって配置されて成るクレーン車のブームヘッド機構にあって、先端にソケットを付したままのロープを外部から主巻ガイドシーブに架設装備すること。【解決手段】補巻ガイドシーブと主巻ガイドシーブとの間で一部重なった領域に、ソケット垂下用のロープの横移動可能な隙間空間を設け、この隙間空間内を、ロープソケットが付されたロープの先端部を降下させた状態で、当該ロープを横移動させ、当該隙間空間を通過させて、前記主巻ガイドシーブに架設装備すること。【選択図】図１
2020111440.tif 000002
【特許請求の範囲】
【請求項１】
一方と他方の側板の上端部内側に配設され当該両側板に軸支されて成る補巻ガイドシーブ及び補巻トップシーブと、主巻ガイドシーブ及び主巻トップシーブとを備え、前記補巻ガイドシーブ及び補巻トップシーブが主巻ガイドシーブ及び主巻トップシーブの取付け位置よりもブームの長手方向の先端側に配置されて成るクレーン車のブームヘッド機構において、
前記補巻ガイドシーブを前記ブームの幅方向の中心部領域に配設すると共に、前記主巻ガイドシーブを、前記ブームの幅方向の一方の側板に寄せて配設装備し、
前記補巻ガイドシーブと主巻ガイドシーブとの間に、当該主巻ガイドシーブ用のワイヤロープの横移動を可能とした隙間空間を設けたことを特徴とするクレーン車のブームヘッド機構。
【請求項２】
請求項１記載のクレーン車のブームヘッド機構において、
前記隙間空間は、前記補巻ガイドシーブの支軸と主巻ガイドシーブの支軸との間の空間に設定されていることを特徴とするクレーン車のブームヘッド機構。
【請求項３】
請求項１又は２に記載のクレーン車のブームヘッド機構において、
前記各側板の内側上部に補強リブを設けると共に、前記各側板の外側上部で前記補巻ガイドシーブの支軸領域に、ボス用リブを設けたことを特徴とするクレーン車のブームヘッド機構。
【請求項４】
請求項１乃至３の何れか一つに記載のクレーン車のブームヘッド機構において、
前記各側板の外側上部で前記補巻ガイドシーブの支軸領域に、ブーメラン形パッチを貼り付けた（装着した）ことを特徴とするクレーン車のブームヘッド機構。
【発明の詳細な説明】
【技術分野】
【０００１】
本発明は、クレーン車のブームの先端部に装備されたブームヘッド機構に係り、特に、作業時には、ブームヘッド部分に連結保持されたジブを振り出して使用する構造の、クレーン車におけるブームヘッド機構に関する。
【背景技術】
【０００２】
従来より、クレーン車は、例えば図７に示すように、クレーン車本体１１０上に装備されたブーム１００と、このブーム１００の先端部から下方に向けて枢着されたアーム状のジブ１０７と、このアーム状のジブ１０７を前記ブーム１００に対して起伏回動自在に枢着し保持するブームヘッド機構１０９とを備えている。
【０００３】
ブームヘッド機構１０９は、その主要部が、図７（ａ）に示すように，上述したジブ１０７を枢着するためのジブ枢着ピン１０８と、主巻ワイヤ支持ユニット１０３と、前記ジブ１０７の振り出し時の操作に直接的に関連する補巻ワイヤ支持ユニット１０６とを備えて構成されている。
【０００４】
この内、主巻ワイヤ支持ユニット１０３は、ブーム１００の揺動面内（図７（ａ）の紙面内）においてブーム１００を幅方向から挟むようにして当該ブーム１００の先端の両側に枢着された主巻ウインチ側ガイドシーブ（以下、「主巻ガイドシーブ」という）１０１と、主巻ワイヤ用トップシーブ（以下、「主巻トップシーブ」という）１０２とによって構成され、これらの各シーブ（ワイヤ用滑車）１０１，１０２には、クレーン車本体１１０側に配設された主巻ウインチ（図示せず）により巻取り／巻戻される主巻ワイヤ１１１が張設されている。
【０００５】
また、補巻ワイヤ支持ユニット１０６は、ブーム１００の揺動面内（図７（ａ）の紙面内）においてブーム１００を幅方向から挟むようにして当該ブーム１００の先端の両側に枢着された補巻ウインチ側ガイドシーブ（以下、「複巻ガイドシーブ」という）１０４と補巻ワイヤ用トップシーブ（以下、「複巻トップシーブ」という）１０５とによって構成され、これらの各シーブ（ワイヤ用滑車）１０４，１０５には、クレーン車本体１１０側に配設された補巻ウインチ（図示せず）により巻取り／巻戻される補巻ワイヤ１１２が張設されている。
【０００６】
この場合、補巻ガイドシーブ１０４は、主巻ガイドシーブ１０１と同軸上で且つ図７（ａ）の紙面厚み方向（紙面に直交する方向）にオフセットされた状態で、ブーム１００の先端部に配設され装備されている。
【０００７】
そして、上記クレーン車自体の稼働時にあっては、図７（ｂ）乃至図７（ｄ）の手順をもって、まずクレーン車が全体的に操作され、ジブ１０７に装備されているテッションロッド１１５が引き出されて、その先端がブームヘッド機構１０９に枢着され、これによって、ジブ１０７とブーム１００とが一体的に連結されるように構成されている。
【０００８】
次に、図８（Ａ）（Ｂ）に、他の従来例を示す。
前述した図７に開示した従来例では、主巻ガイドシーブ１０１と補巻ガイドシーブ１０４とが同軸上にオフセットされた状態でブーム１００の先端部に配設され装備されているのに対し、この図８（Ａ）（Ｂ）に示す他の従来例では、主巻ガイドシーブ２０１と補巻ガイドシーブ２０４とが、各々異なった支軸により、それぞれ独立して支持されており、これらが、ブームヘッド機構２０９内にあって相互に連携した状態で、配設装備され、相互に干渉することなく、その個別動作が確保されている。
【０００９】
ここで、図８（Ａ）は、上述したブームヘッド機構２０９にあって、側板５０１，５０２の内の他方の側板５０２を外した場合の概略側面図を示す。また、図８（Ｂ）は、他方の側板５０２を付した状態における図８（Ａ）の概略平面図を示す。
更に、符号２０２は、前記主巻ガイドシーブ２０１に対応して装備された主巻トップシーブを示す。また、符号２０５は、前記補巻ガイドシーブ２０４に対応して装備された補巻トップシーブを示す。
【００１０】
ここで、上記した主巻ガイドシーブ２０１と主巻トップシーブ２０２とによって、主巻ワイヤ支持ユニット２０３が構成され、又、上記複巻ガイドシーブ２０４と複巻トップシーブ２０５とによって、複巻ワイヤ支持ユニット２０６が構成されている。
その他の構成は、前述した図７の従来例と同一となっている。
【００１１】
そして、この図８に示す他の従来例では、補巻ワイヤ支持ユニット２０６には主に単索ワイヤロープが使用され、且つ当該補巻ワイヤ支持ユニット２０６を構成する補巻ガイドシーブ２０４及び補巻トップシーブ２０５は、図８（Ｂ）に示すように、ブームヘッド領域の幅中央部に配置されており、これにより、使用時における装置全体のバランスが維持され、安定した稼働状態が保持されるようになっている。
【先行技術文献】
【特許文献】
【００１２】
【特許文献１】特開２００３−２６７６６４号公報
【発明の概要】
【発明が解決しようとする課題】
【００１３】
図８に示す上記他の従来例にあって、主巻ワイヤ支持ユニット２０３については、実際には複数掛けワイヤロープで使用するため、左右どちらかの側に寄せて配置された構成となっている。
このため、この主巻ガイドシーブ２０１と前記補巻ガイドシーブ２０４の各支軸相互間の空間スペースに、図８（Ｂ）の符号Ｐ，Ｑに示すように、片寄りが生じる。
【００１４】
即ち、主巻ガイドシーブ２０１，２０２と補巻ガイドシーブ２０４，２０５との支軸相互間にあって、主巻ガイドシーブ２０１が配置されない側の空間Ｐ領域は、ロープソケット付のまま主巻ワイヤロープが通る程の余裕が十分あるのに対し、主巻ガイドシーブ２０１が配置された側の空間Ｑ領域は、主巻ガイドシーブ２０１と補巻ガイドシーブ２０４との間に空間を十分に確保できない状態となっている。
【００１５】
このため、ロープソケット付で主巻ワイヤロープをブームヘッド上面より当該主巻ワイヤロープに向けて直接差し込むことも、又主巻ガイドシーブ２０１の側から横移動して当該主巻ガイドシーブ２０１に掛け回すことも、いずれも実行できない、という不都合があった。
【００１６】
一方、かかる不都合を改善するために、例えば、主巻ガイドシーブ２０１を一方の側板５０１に寄せることで、主巻ガイドシーブ２０１と補巻ガイドシーブ２０４との間に隙間を確保すると、この隙間を通して主巻ワイヤロープを主巻ガイドシーブ２０１に掛け回すことが可能となる。
【００１７】
しかしながら、主巻ガイドシーブ２０１を一方の側板５０１に寄せると、当該主巻ガイドシーブ２０１から当該一方の側板５０１に作用する力が大きくなる。このため、主巻ガイドシーブ２０１側の側板（例えば、上記一方の側板５０１）の強度が保てなくなるという不都合が生じる。
【００１８】
更にこの場合、側板５０１，５０２を厚くして強度を増加させれば、上記不都合を改善し得るが、このブームヘッド側板を厚くしての対処方法は、ブーム先端の重量増を招き、クレーン車全体を勘案すると、クレーン車の吊り上げ性能の低下につながる、という不都合が生じる。
【００１９】
そこで、本案は、ブームヘッドの重量増を必要最小限に抑制すると共に主巻ガイドシーブと補巻ガイドシーブ相互間の隙間を確保して、主巻ガイドシーブに対する主巻ワイヤロープの掛け回し作業（稼働時の準備作業）の効率化を図り得るクレーン車のブームヘッド機構を提供することを、その目的とする。
【課題を解決するための手段】
【００２０】
本案は、補巻ガイドシーブを、主巻ガイドシーブの取付け位置よりもブーム長手方向の先端に配置して成るクレーン車のブームヘッド機構において、主巻ガイドシーブをブームヘッド側板に寄せることで、主巻ガイドシーブとブームヘッドの幅中心に配置される補巻ガイドシーブとの間の隙間を確保して、主巻ワイヤロープをその隙間を通して主巻ガイドシーブに掛け回すことを可能とした。
【００２１】
また、その際、主巻ガイドシーブ側の側板の強度アップを図るため、補巻ガイドシーブの軸の中心部の周囲に、ブーメラン形の補強用パッチを固着装備する。この場合、当該側板部分には、前記補強用パッチが固着された側板上部には、前記補強用パッチの翼端部に対応して各側板上部の内側に補強リブが設けられている。
これにより、ブームラン形の補強用パッチと側板上部の補強リブとが、ブームヘッド側板の裏表で繋がるように一体化されている。
【００２２】
そして、更に、ブーメラン形の補強用パッチの上端部には、補巻ガイドシャフト用ボスに架かるように、外側に突設されたボス用リブが設けられ、これによって、当該側板上部の強度が全体的に強化され、主巻ガイドシーブ側の主巻ガイドシーブシャフトの中心部の側板に働く力を、補巻ガイドシーブシャフトの中心部に受け流すことができ、力の分散を図ることができるようになっている。
【発明の効果】
【００２３】
本提案に係るクレーン車のブームヘッド機構は、上述したように構成したので、これによると、補巻ガイドシーブを、主巻ガイドシーブの取付け位置よりもブーム長手方向の先端に配置すると共に、主巻ガイドシーブをブームヘッド側板に寄せることで、主巻ガイドシーブとブームヘッドの幅中心に配置される補巻ガイドシーブとの間の隙間を確保し得ることとなり、これによって、主巻ワイヤロープをその隙間を通して主巻ガイドシーブに掛け回すことを可能となり、これにより、ロープソケットを付したままの状態でも、外部から、主巻ガイドシーブに対する主巻ワイヤロープの掛け回し作業を実行することができ、当該主巻ワイヤロープの掛け回し作業の効率化を図り得るという、従来にない優れたクレーン車のブームヘッド機構を提供することができる。
【００２４】
更に、本提案によると、各側板の内側上部に補強リブを設けると共に、前記各側板の外側上部で前記補巻ガイドシーブの支軸領域に、ボス用リブを設けたので、各側板を厚さを厚く設定することなく当該側板の強度を有効に維持することが可能となる。
【００２５】
また、前述した各側板の外側上部で前記補巻ガイドシーブの支軸領域に、ブーメラン形パッチを貼り付けるように構成してもよい。
このようにすると、各側板を厚い部材で構成することなく、当該ブームヘッド機構を全体的に強化することが可能となる。
【図面の簡単な説明】
【００２６】
【図１】本提案にかかるブームヘッド機構の一実施形態を示す斜視図である。
【図２】図１に開示したブームヘッド機構の本体部を示す図で、図２（Ａ）は本体部を示す斜視図、図２（Ｂ）は本体部の上部で補巻ワイヤ支持ユニットを軸支する側板部分の補強部材としてのパッチ部材（ブームメラン形パッチ）を示す平面図である。
【図３】図１に開示したブームヘッド機構を示す図で、図３（Ａ）は図１の矢視Ａ方向から見た正面図、図３（Ｂ）は図３（Ａ）の概略平面図である。
【図４】図１に開示したブームヘッド機構におけるワイヤロープを掛け渡す際の作業手順を示す説明図で、図４（Ａ）はロープを通す位置を示す説明図、図４（Ｂ）はワイヤロープを横移動させて主巻ガイドシーブに掛け渡す（係合させる）場合の状況を示す説明図である。
【図５】図２に開示したブームヘッド機構におけるワイヤー装着時の全体的な作業手順の一部を示す説明図である。
【図６】図５に開示したワイヤー装着時の作業手順の続き部分を示す明図である。
【図７】従来例におけるクレーン車の全体的な動作を示す説明図である。
【図８】他の従来例におけるクレーン車のブームヘッド機構部分を示す説明図である。
【発明を実施するための形態】
【００２７】
以下、本案におけるクレーン車のブームヘッド機構の一実施形態を、図１乃至図６に基づいて説明する。
【００２８】
（構成、作用）
図１において、符号１００はクレーン車用のブームを示し、符号９はブームヘッド機構を示す。このブームヘッド機構９は、前述したブーム１００の先端部に装備され、作業用のジブ（前述した図７の一方の従来例における符号１０７に同じ）を垂下保持する機能を備えている。
【００２９】
このブームヘッド機構９は、図１に示すように、対向装備された一方と他方の側板５０１、５０２を備えている。この側板５０１、５０２は、前述した他の従来例における側板５０１、５０２と同一のものが使用されている。
【００３０】
この両側板５０１、５０２の間には、上下に分かれて配置された主巻ガイドシーブ１と主巻トップシーブ２とにより成る主巻ワイヤ支持ユニット３が、又、同じく上下に分かれた配置された補巻ガイドシーブ４と補巻トップシーブ５とにより成る補巻ワイヤ支持ユニット６が、それぞれ配設装備され、図３に示すように、それぞれが前後に分かれて且つ近接して配置され、当該両側板５０１、５０２に軸支されている。
【００３１】
この主巻ガイドシーブ１及び主巻トップシーブ２と、補巻ガイドシーブ４及び補巻トップシーブ５とは、例えば、建築現場での作業用資材を係着し移送するロープを保持するためのもので、それぞれが、一組のロープ保持用の滑車としての機能を備えている。
符号８は、主巻トップシーブ２の中心軸に装備されたジブ枢着ピンを示す。
このジブ枢着ピン８は、前述した従来例にて開示したジブ１０７と同等のジブ（図示せず）を枢着するためのものである。
【００３２】
この場合、補巻ワイヤ支持ユニット６は、本実施形態では、主巻ワイヤ支持ユニット３の取付け位置よりも外側（ブーム１００の長手方向の先端方向側）に配設されている。
更に、補巻ワイヤ支持ユニット６は、前記ブーム１００の幅方向の中心部領域に配設され、前記主巻ワイヤ支持ユニット３の主巻ガイドシーブ１は、前記ブーム１００の幅方向の一方の側板５０１に寄せて装備されている（図３（Ｂ）参照）。
【００３３】
これにより、主巻トップシーブ２では、資材系着用のロープを主巻トップシーブ２と主フックシーブ（図示せず）との間で掛け回せることになり、重量物の資材巻き上げ作業にも十分に対応し得るようになっている。又、補巻ワイヤ支持ユニット６は、前述した従来例の場合と同様に、一方と他方の側板５０１、５０２の中間位置に配設され、これによって装置全体のバランスがとられ、その安定動作が確保されている。
【００３４】
上記した一方と他方の側板５０１、５０２の上端部の内側には、図２（Ａ），図３（Ｂ）に示すように、上記した主巻ガイドシーブ１側から補巻ガイドシーブ４の支軸部分に向けて、補強リブ１１，１２が固着装備されている。
この補強リブ１１，１２には、その先端部（補巻ガイドシーブ４側に近い先端部）に、図３（Ｂ）に示すようにテーパ部１１Ａ，１２Ａが設けられ、これによって、適度に弾力性が保持され、外部からの衝撃を有効に吸収することができ、側板５０１，５０２が実質的に強化された状態となっている。
【００３５】
又、この一方と他方の側板５０１、５０２の上端部外面には、前述した補巻ワイヤ支持ユニット６領域に、ブームメラン形で且つ翼端部がブームヘッド側板上部の補強リブ１１，１２のテーパ部１１Ａ，１２Ａに対応してパッチ部材（ブームメラン形パッチ）１３，１４が、貼り付けられた形態をもって配設装備されている。これによって、側板５０１と側板５０２の表裏が、強度的に繋がるように一体化された構造となっている。
【００３６】
符号１５、１６は、補巻ガイドシーブ４用のボスを示す。又、この補巻ガイドシーブ用ボス１５、１６に上側で当接し保護するようにして、側板５０１、５０２の上端部には、ボス用リブ１７、１８が装備され、これによって、当該箇所の側板５０１、５０２がより一層強化された状態となっている。
【００３７】
これにより、一方と他方の側板５０１、５０２は、その上端部の主巻ガイドシーブ１及び補巻ガイドシーブ４の各支軸部分は、十分にその強度が強化されている。
即ち、このように構成することにより、これら一方と他方の側板５０１、５０２の厚さを厚くする事なく（即ち、側板５０１、５０２全体を厚くすることなく）、当該側板５０１、５０２の上端部が強化され、主巻ガイドシーブ１および補巻ガイドシーブ４の稼働時の振動負荷等に対しても、長期にわたって十分に、対応することができ、かかる点において動作の安定性が確保されている。
【００３８】
また、この一方と他方の側板５０１、５０２に保持された主巻ガイドシーブ１と補巻ガイドシーブ４との回転面の相互間には、主巻ガイドシーブ１に巻回される資材係止用のワイヤロープを横移動させるに必要な隙間ＳＫが設けられている（図３（Ｂ）、図４（Ｂ）参照）。
この隙間ＳＫを含む主巻ガイドシーブ１と補巻ガイドシーブ４の，本案における配設状態の一例を、図４（Ａ）（Ｂ）に示す。
【００３９】
この図４（Ａ）（Ｂ）に示すように、一方と他方の側板５０１、５０２で囲まれた空間領域Ｐには、ソケット付のワイヤロープ２１１を通過させるに必要な上下方向の空間ＰＫが、主巻ガイドシーブ１の反対側に位置する側板５０２側に形成されている。
この側板５０２側の空間ＰＫは、上述した主巻ガイドシーブ１が位置する他方の側板５０１側には、存在しない構造となっている。
【００４０】
このため、本実施形態では、ロープソケット付のワイヤロープ２１１の先端部を、図１に示すように、側板５０２の内側の空間ＰＫ部分に、上方から挿入配置した後、これを図４（Ｂ）内の移動矢印Ｗで示すように、横移動させて前記隙間空間ＳＫを通過させ、側板５０１側の主巻ガイドシーブ１に架設することが可能となる。
【００４１】
更に、本実施形態では、一方と他方の各側板５０１、５０２の外側上部で前記補巻ガイドシーブ４，５の支軸領域には、図２，図３（Ｂ）に示すように、補強部材であるパッチ部材（ブームメラン形パッチ）１３，１４が一体的に装着されている。
このため、かかる点においても、各側板５０１，５０２の厚さを厚くすることなく、当該各側板５０１，５０２の強度を大幅に強化することができるという利点がある。
その他の構成は、前述した図８の従来例と同一となっている。
【００４２】
（ワイヤロープ取付手順）
次に、上記実施形態において装備されるワイヤロープ２１１の取付手順を、図５乃至図６に基づいて、具体的に説明する。
クレーン車のブームヘッド機構９には、その上端部に振動その他の理由でワイヤロープが外れるのを防止するロープ止めピン３１，３２が装備されている。
このため、ワイヤロープ取付に際しは、まず最初に、この主巻ガイドシーブ１側のロープ止めピン３１を外す（図５（１）参照）。
【００４３】
次に、ロープソケット付のワイヤロープ２１１を、その先端（下端部）部分をブーム１００の上面からブームヘッド機構９の他方の側板５０２の内側に沿うて差し込む（図５（２）参照）。即ち、図５の（２）の平面図部分の、斜線を付した箇所に、ワイヤロープ２１１の先端を差し込む。
【００４４】
続いて、図６（３）に示すように、先端部のロープソケット部分が差し込まれたままの状態で、ワイヤロープ２１１を、隙間ＳＫ（即ち、主巻ガイドシーブ１と補巻ガイドシーブ４との間）内を、横移動させて通し、主巻ガイドシーブ１に巻き架ける。
【産業上の利用可能性】
【００４５】
本案は、主巻ガイドシーブ１，２へのワイヤロープ２１１の架設作業を、特に熟練を要すること無く迅速に且つ円滑に実行することができる、という点で、その利用価値は大きいものである。
【符号の説明】
【００４６】
１  主巻ガイドシーブ
２  主巻トップシーブ
４  補巻ガイドシーブ
５  補巻トップシーブ
９  ブームヘッド機構
１１，１２  補強リブ
１７，１８  ボス用リブ
１００  ブーム
２１１  ワイヤロープ
５０１，５０２  側板
ＳＫ  隙間空間
【図１】
2020111440.tif 000003
【図２】
2020111440.tif 000004
【図３】
2020111440.tif 000005
【図４】
2020111440.tif 000006
【図５】
2020111440.tif 000007
【図６】
2020111440.tif 000008
【図７】
2020111440.tif 000009
【図８】
2020111440.tif 000010